(57)【要約】【課題】光コネクタの引き留めを省スペースで実現でき、しかも、光コネクタの着脱を短時間で簡単に行える技術の開発が求められていた。【解決手段】光コネクタ３の側部に突設されているラッチ５２を、コネクタ引留板２の長穴２１ａに挿入して、コネクタ引留板２の裏面側の係止部２４に係脱可能に係合させることで、光コネクタ３がコネクタ引留板２に着脱自在に引き留められるコネクタ引留ユニット１、このコネクタ引留ユニット１を具備する光機器、光クロージャを提供する。長穴２１ａ及び係止部２４で構成されるコネクタ保持部１Ｂが複数設けられたコネクタ引留板２によって、複数の光コネクタ３を高密度に引き留めることができる。【選択図】図１
2007233291.tif 000002
【特許請求の範囲】
【請求項１】
機器（１００、１０４）に取り付けられるコネクタ引留板（２、２Ａ）と、前記コネクタ引留板に着脱される光コネクタ（３）とで構成され、
前記光コネクタは、該光コネクタの側面から突出して前記光コネクタの側面に沿って前記光コネクタの前後方向に延在し、前記光コネクタの側面との間に前記コネクタ引留板を挟み込むことができる弾性片であるラッチ（５２）を具備し、
前記コネクタ引留板は、前記光コネクタの側部の前記ラッチが挿脱可能に挿入される長穴（２１ａ）と、該長穴の一端部側に設けられ、前記コネクタ引留板の前記光コネクタの側面が当接される表面（２２）側とは反対の裏面（２３）側から前記ラッチの先端に突設されている突爪（５２ｄ）が係脱可能に係合される係止部（２４、２６）とを有し、
前記光コネクタの前記ラッチを前記コネクタ引留板の表面側から前記長穴を介して前記コネクタ引留板の裏面側に差し込み、前記突爪を前記係止部に係合させることで、前記光コネクタが前記コネクタ引留板に引き留められることを特徴とするコネクタ引留ユニット（１、１Ａ）。
【請求項２】
前記コネクタ引留板には、前記長穴よりも狭幅の細長穴（２１ｂ）が、前記長穴の一端部から延出するように形成され、
前記光コネクタの側部には、前記細長穴に挿脱可能の振れ止め用突起（５３）が、前記ラッチの先端から前記ラッチの前記光コネクタからの突出基端部とは反対の側へ離隔した位置に突設され、
前記光コネクタは、前記ラッチを前記長穴を介して前記コネクタ引留板の裏面側に差し込み、前記振れ止め用突起を前記細長穴に挿入することで、前記ラッチが前記長穴の内面によって案内され、前記振れ止め用突起が前記細長穴の内面によって案内されて、前記長穴及び細長穴に沿って移動できることを特徴とする請求項１記載のコネクタ引留ユニット。
【請求項３】
前記ラッチは、前記光コネクタのハウジング（５）の側面に突出する突起状の立ち上げ部（５２ａ）と、該立ち上げ部の先端から前記ハウジングの側面に沿って前記光コネクタの接続端部側である前端側に延びるラッチ本体部（５２ｂ）と、前記ラッチ本体部から前記立ち上げ部よりも前記光コネクタの後端側へ延出する突片である係合解除用レバー（５２ｃ）とを具備し、
前記ラッチを前記コネクタ引留板の表面側から前記長穴を介して前記コネクタ引留板の裏面側に差し込み、前記突爪を前記係止部に係合させて、前記光コネクタを前記コネクタ引留板に引き留めた状態において、前記光コネクタのハウジングとの間にクリアランスを介して設けられる前記係合解除用レバーを前記ハウジングに接近させることで、前記ラッチ本体部が前記係合解除用レバーと一体に前記立ち上げ部の先端を中心に回転して、前記光コネクタの前記ハウジングから離隔し、前記係止部に係合している前記突爪の前記係止部に対する係合を解除できることを特徴とする請求項１又は２記載のコネクタ引留ユニット。
【請求項４】
機器（１００、１０４）に取り付けられるコネクタ引留板（１２）と、前記コネクタ引留板に着脱される光コネクタ（１３）とで構成され、
前記光コネクタは、フェルール（１４）と、該フェルールを収納するハウジングとを具備し、前記ハウジングに、前記光コネクタの接続端部とは反対側の後端側へ延出する突片である差し込み片（１５２）が形成されてなり、
前記コネクタ引留板は、
前記光コネクタのハウジング（１５）が当接されるコネクタ取付面（１２ａ）を有する本体プレート部（１２Ａ）と、
この本体プレート部の前記コネクタ取付面に突設され、前記光コネクタの前記差し込み片が挿脱可能に差し込まれることで、前記光コネクタを、前記ハウジングの側面が前記コネクタ取付面に当接された状態に支持する差し込み片支持部（１２１）と、
前記本体プレート部から該本体プレート部を延長するように延出する舌片状に形成され、前記差し込み片を差し込んで前記差し込み片支持部に支持した前記光コネクタのハウジングの側面に設けられている係合部（１５１ｂ）に係脱可能に係合されることで、前記差し込み片が前記差し込み片支持部から抜け出す方向への光コネクタの移動を規制する弾性爪であるラッチ（１２２）とを具備し、
前記光コネクタの前記コネクタ取付面に沿ったスライド移動によって、前記差し込み片を前記差し込み片支持部に差し込んでいくことで、前記光コネクタの係合部にラッチを係合させることができることを特徴とするコネクタ引留ユニット（１１）。
【請求項５】
前記ラッチが、前記コネクタ引留板を構成する板材の一部を舌片状に形成したものであることを特徴とする請求項４記載のコネクタ引留ユニット。
【請求項６】
請求項１〜５のいずれかに記載のコネクタ引留ユニット（１０２）と、該コネクタ引留ユニットの前記コネクタ引留板（１０６）から取り外した光コネクタ（１０７）を接続できる、光コネクタアダプタ（１０３）あるいは光コネクタレセプタクルである受け側光コネクタとを具備することを特徴とする光機器（１００）。
【請求項７】
光クロージャであって、
光ファイバケーブル（１０５）が引き込まれたクロージャスリーブ（１０１）内に、請求項１〜５のいずれかに記載のコネクタ引留ユニット（１０２）が収納され、前記光ファイバケーブルから引き出された光ファイバ（１０５ａ）が、前記コネクタ引留ユニットの前記光コネクタ（１０７）によって、別の光ファイバ（１０８）に対してコネクタ接続可能に成端されていることを特徴とする光クロージャ（１００）。
【請求項８】
前記別の光ファイバが前記クロージャスリーブ内に引き込まれる光ドロップケーブル（１０８）であり、
前記光コネクタと、前記光ドロップケーブルに取り付けられた光コネクタ（１０９）との接続用の光コネクタアダプタ（１０３）が、クロージャスリーブ内に収納されていることを特徴とする請求項７記載の光クロージャ。
【請求項９】
クロージャスリーブ（１０１）内に、コネクタ引留板（２、２Ａ、１２、１０６、２０２）と、該コネクタ引留板に設けられたコネクタ保持部（１Ｂ、１１Ａ、１０２Ａ、２０４Ａ）に着脱可能に取り付けられる光コネクタ（３、１３、１０７、２０３）とからなるコネクタ引留ユニット（１、１Ａ、１１、１０２、２０１）が収納され、
前記光ファイバケーブルから引き出された光ファイバ（１０５ａ）が、前記コネクタ引留ユニットの前記光コネクタによって、別の光ファイバ（１０８）に対してコネクタ接続可能に成端されており、
前記コネクタ引留板には、前記光コネクタが、前記コネクタ保持部への係合又は嵌め込みによって前記コネクタ引留板に沿う向きで着脱可能に取り付けられるようになっていることを特徴とする光クロージャ（１００）。
【発明の詳細な説明】
【技術分野】
【０００１】
本発明は、光コネクタを所定位置に引き留めるためのコネクタ引留ユニット、該コネクタ引留ユニットが設けられた光機器、光クロージャに関する。
【背景技術】
【０００２】
光通信ネットワークでは、光ファイバ同士を接続するために、コネクタ接続が多用されている。前記コネクタ接続としては、光ファイバコード等の光ファイバの先端に取り付けられた光コネクタ（光コネクタプラグ）同士を光コネクタアダプタ内で接続するプラグ−アダプタ−プラグ方式、光ファイバの先端に組み立てられた光コネクタレセプタクルに光コネクタ（光コネクタプラグ）を挿入して接続するレセプタクル−プラグ方式が一般的である（例えば、特許文献１）。
光信号を送信する伝送装置に対してユーザー側（端末側）の多数回線を接続するＰＤＳ（Passive Double Star）方式の光通信ネットワークでは、例えば、光ファイバケーブルの分岐や光ファイバケーブル同士の接続に用いられる光配線盤、光接続箱等の光機器において、光ファイバ同士のコネクタ接続が広く採用されている。
光接続箱の一例としては、例えば光クロージャがある（特許文献２）。
【特許文献１】特開２０００−３２９９４５号公報
【特許文献２】特開平９−１２７３８４号公報
【発明の開示】
【発明が解決しようとする課題】
【０００３】
ところで、光通信ネットワークに用いられる光機器では、例えば、加入者の増大に伴う回線増設に対応するために増設用光ファイバ（コネクタ付き光ファイバ）を収納したり、回線の接続切り替えや回線移設、回線撤去等に伴いコネクタ接続が解除された光ファイバ（コネクタ付き光ファイバ）が発生することがあり、どこにも接続されていない光ファイバ（以下、未接続光ファイバ）を収納する収納スペースを確保する場合がある。この場合、未接続光ファイバの先端に取り付けられている光コネクタを保護するために、前記光コネクタを着脱可能に取り付けて引き留める保留盤を採用することがある。
光配線盤等の大型の光機器であれば、未接続光ファイバの収納スペースの確保は容易であり、例えば、特許文献１に例示されるように、未接続光ファイバの先端に取り付けられた光コネクタが着脱可能に嵌め込まれるコネクタ保持孔が多数設けられた保留盤を具備した構成等も提案されている。
しかしながら、光クロージャ等の光接続箱は、一般に、光配線盤に比べて小型であり、未接続光ファイバ及びその先端の光コネクタの収納スペースの確保が容易ではなく、未接続光ファイバ先端の光コネクタの引き留めを省スペースで実現できる、適切なもの（コネクタ引留構造）が存在しないのが実情である。
例えば、前記特許文献１の保留盤は、多数の光コネクタを整理して保留できるが、光コネクタを該保留盤に対して垂直の向きで保留する構造であるため、保留盤に引き留めた光コネクタが保留盤が突出することになり、内部に狭隘な収納空間しか確保できない、光クロージャ等に適用するには不向きである。
【０００４】
本発明は、前記課題に鑑みて、光コネクタの引き留めを省スペースで実現でき、しかも、コネクタ引留板に対する光コネクタの着脱を短時間で簡単に行え、着脱作業性を確保できるコネクタ引留ユニット、光機器、光クロージャの提供を目的としている。
【課題を解決するための手段】
【０００５】
上記課題を解決するために、本発明では以下の構成を提供する。
請求項１に係る発明は、機器に取り付けられるコネクタ引留板と、前記コネクタ引留板に着脱される光コネクタとで構成され、前記光コネクタは、該光コネクタの側面から突出して前記光コネクタの側面に沿って前記光コネクタの前後方向に延在し、前記光コネクタの側面との間に前記コネクタ引留板を挟み込むことができる弾性片であるラッチを具備し、前記コネクタ引留板は、前記光コネクタの側部の前記ラッチが挿脱可能に挿入される長穴と、該長穴の一端部側に設けられ、前記コネクタ引留板の前記光コネクタの側面が当接される表面側とは反対の裏面側から前記ラッチの先端に突設されている突爪が係脱可能に係合される係止部とを有し、前記光コネクタの前記ラッチを前記コネクタ引留板の表面側から前記長穴を介して前記コネクタ引留板の裏面側に差し込み、前記突爪を前記係止部に係合させることで、前記光コネクタが前記コネクタ引留板に引き留められることを特徴とするコネクタ引留ユニットを提供する。
請求項２に係る発明は、前記コネクタ引留板には、前記長穴よりも狭幅の細長穴が、前記長穴の一端部から延出するように形成され、前記光コネクタの側部には、前記細長穴に挿脱可能の振れ止め用突起が、前記ラッチの先端から前記ラッチの前記光コネクタからの突出基端部とは反対の側へ離隔した位置に突設され、前記光コネクタは、前記ラッチを前記長穴を介して前記コネクタ引留板の裏面側に差し込み、前記振れ止め用突起を前記細長穴に挿入することで、前記ラッチが前記長穴の内面によって案内され、前記振れ止め用突起が前記細長穴の内面によって案内されて、前記長穴及び細長穴に沿って移動できることを特徴とする請求項１記載のコネクタ引留ユニットを提供する。
請求項３に係る発明は、前記ラッチは、前記光コネクタのハウジングの側面に突出する突起状の立ち上げ部と、該立ち上げ部の先端から前記ハウジングの側面に沿って前記光コネクタの接続端部側である前端側に延びるラッチ本体部と、前記ラッチ本体部から前記立ち上げ部よりも前記光コネクタの後端側へ延出する突片である係合解除用レバーとを具備し、前記ラッチを前記コネクタ引留板の表面側から前記長穴を介して前記コネクタ引留板の裏面側に差し込み、前記突爪を前記係止部に係合させて、前記光コネクタを前記コネクタ引留板に引き留めた状態において、前記光コネクタのハウジングとの間にクリアランスを介して設けられる前記係合解除用レバーを前記ハウジングに接近させることで、前記ラッチ本体部が前記係合解除用レバーと一体に前記立ち上げ部の先端を中心に回転して、前記光コネクタの前記ハウジングから離隔し、前記係止部に係合している前記突爪の前記係止部に対する係合を解除できることを特徴とする請求項１又は２記載のコネクタ引留ユニットを提供する。
請求項４に係る発明は、機器に取り付けられるコネクタ引留板と、前記コネクタ引留板に着脱される光コネクタとで構成され、前記光コネクタは、フェルールと、該フェルールを収納するハウジングとを具備し、前記ハウジングに、前記光コネクタの接続端部とは反対側の後端側へ延出する突片である差し込み片が形成されてなり、前記コネクタ引留板は、前記光コネクタのハウジングが当接されるコネクタ取付面を有する本体プレート部と、この本体プレート部の前記コネクタ取付面に突設され、前記光コネクタの前記差し込み片が挿脱可能に差し込まれることで、前記光コネクタを、前記ハウジングの側面が前記コネクタ取付面に当接された状態に支持する差し込み片支持部と、前記本体プレート部から該本体プレート部を延長するように延出する舌片状に形成され、前記差し込み片を差し込んで前記差し込み片支持部に支持した前記光コネクタのハウジングの側面に設けられている係合部に係脱可能に係合されることで、前記差し込み片が前記差し込み片支持部から抜け出す方向への光コネクタの移動を規制する弾性爪であるラッチとを具備し、前記光コネクタの前記コネクタ取付面に沿ったスライド移動によって、前記差し込み片を前記差し込み片支持部に差し込んでいくことで、前記光コネクタの係合部にラッチを係合させることができることを特徴とするコネクタ引留ユニットを提供する。
請求項５に係る発明は、前記ラッチが、前記コネクタ引留板を構成する板材の一部を舌片状に形成したものであることを特徴とする請求項４記載のコネクタ引留ユニットを提供する。
請求項６に係る発明は、請求項１〜５のいずれかに記載のコネクタ引留ユニットと、該コネクタ引留ユニットの前記コネクタ引留板から取り外した光コネクタを接続できる、光コネクタアダプタあるいは光コネクタレセプタクルである受け側光コネクタとを具備することを特徴とする光機器を提供する。
請求項７に係る発明は、光クロージャであって、光ファイバケーブルが引き込まれたクロージャスリーブ内に、請求項１〜５のいずれかに記載のコネクタ引留ユニットが収納され、前記光ファイバケーブルから引き出された光ファイバが、前記コネクタ引留ユニットの前記光コネクタによって、別の光ファイバに対してコネクタ接続可能に成端されていることを特徴とする光クロージャを提供する。
請求項８に係る発明は、前記別の光ファイバが前記クロージャスリーブ内に引き込まれる光ドロップケーブルであり、前記光コネクタと、前記光ドロップケーブルに取り付けられた光コネクタとの接続用の光コネクタアダプタが、クロージャスリーブ内に収納されていることを特徴とする請求項７記載の光クロージャを提供する。
請求項９に係る発明は、クロージャスリーブ内に、コネクタ引留板と、該コネクタ引留板に設けられたコネクタ保持部に着脱可能に取り付けられる光コネクタとからなるコネクタ引留ユニットが収納され、前記光ファイバケーブルから引き出された光ファイバが、前記コネクタ引留ユニットの前記光コネクタによって、別の光ファイバに対してコネクタ接続可能に成端されており、前記コネクタ引留板には、前記光コネクタが、前記コネクタ保持部への係合又は嵌め込みによって前記コネクタ引留板に沿う向きで着脱可能に取り付けられるようになっていることを特徴とする光クロージャを提供する。
【発明の効果】
【０００６】
本発明では、光コネクタを、コネクタ引留板に沿った向きで、コネクタ引留板に引き留める構造のコネクタ引留ユニットを採用している。このコネクタ引留ユニットであれば、光コネクタをコネクタ引留板に垂直に取り付ける場合（例えば、光コネクタを、パネルに取り付けた、光コネクタアダプタ形あるいは光コネクタレセプタクル形のハウジングに挿入、接続して、パネルに垂直の向きで保持する場合）に比べて、光コネクタのコネクタ引留板からの突出寸法が小さくて済み、光コネクタの引き留めを省スペースで実現できる。
また、光コネクタの後端から延びる光ファイバピグテイルが、コネクタ引留板に沿った向きで配線されることとなるため、例えば、光コネクタをコネクタ引留板に垂直に取り付けた場合に比べて、光機器における、光ファイバピグテイルの配線スペース（収納スペース）の確保が容易となる。
複数の光コネクタを、コネクタ引留板に横並びに配列させて引き留めることで、限られたスペースでの高密度の引き留め（コネクタ引留板に対する高密度実装）を実現できる。
また、請求項１、４に係るコネクタ引留ユニットでは、光コネクタ側あるいはコネクタ引留板側のラッチの操作によって、光コネクタの引き留めと、引き留め解除とを簡単に切り換えることができ、コネクタ引留板に対する光コネクタの着脱を短時間で簡単に行えるといった利点がある。
【発明を実施するための最良の形態】
【０００７】
以下、本発明の実施の形態を、図面を参照して説明する。
【０００８】
（第１実施形態）
以下、本発明の第１実施形態のコネクタ引留ユニット１を説明する。
図１（ａ）、（ｂ）、図２において、符号２はコネクタ引留板、３は光コネクタである。
前記コネクタ引留ユニット１は、コネクタ引留板２と、このコネクタ引留板２に着脱される光コネクタ３とで構成されている。
図１（ａ）、（ｂ）は、光コネクタ３をコネクタ引留板２に引き留めた状態を示す図であって、（ａ）は平面図、（ｂ）は正断面図である。
図２は、コネクタ引留板２を示す平面図である。
【０００９】
図１（ａ）、（ｂ）において、光コネクタ３は、フェルール４と、このフェルール４を収納するハウジング５とを具備して構成されている。
なお、光コネクタ３については、フェルール４の接合端面４１側、すなわち、図１（ａ）、（ｂ）において左側を「前」、反対側、すなわち、図１（ａ）、（ｂ）において右側を「後」として説明する。
ハウジング５の後端部には、ストップリング６が組み付けられている。
このストップリング６は、スリーブ状であり、内側に、光ファイバ７が通されている。
フェルール４は、光ファイバ７の先端に取り付けられている。
光ファイバ７は、ストップリング６の後端から延出されている。
【００１０】
ハウジング５は、フェルール４を収納するスリーブ状のハウジング本体部５１と、このハウジング本体部５１の側面に突設されたラッチ５２及び振れ止め用突起５３とを具備して構成されている。
ラッチ５２と振れ止め用突起５３とは、ハウジング本体部５１における突設位置が、前後方向に離隔されている。振れ止め用突起５３は、ラッチ５２よりも前側（前端側）にてハウジング本体部５１に突設されており、ラッチ５２と接触しないようになっている。
前記ハウジング５は、全体がプラスチックで一体成形された１部品になっている。
但し、ハウジング５は、必ずしも、全体が一体成形された１部品になっている構成に限定されず、ラッチ５２及び振れ止め用突起５３の一方又は両方が、ハウジング本体部５１と別体の部材をハウジング本体部５１に固定したものであっても良い。
【００１１】
前記ラッチ５２は、コネクタ引留板２に係脱可能に係合することで、光コネクタ３をコネクタ引留板２に着脱可能に係止する機能を果たす。
このラッチ５２は、具体的には、ハウジング本体部５１の側面に突出する突起状の立ち上げ部５２ａと、該立ち上げ部５２ａの先端から前記光コネクタ３の前後方向前側（前端側）に延出し、前記ハウジング本体部５１の側面に沿って延在配置されたラッチ本体部５２ｂと、前記立ち上げ部５２ａから前記光コネクタの前後方向後側に延出する突片である係合解除用レバー５２ｃとを具備してなる弾性片である。
前記ラッチ本体部５２ｂは、立ち上げ部５２ａからの突出先端部（前端部）に、コネクタ引留板２に係合するための突爪５２ｄが突設されている弾性爪である。前記突爪５２ｄは、ラッチ本体部５２ｂの前端部のハウジング本体部５１側の側面に突出する小突起である。
【００１２】
前記コネクタ引留板２は、金属製あるいは樹脂製のパネルである。
なお、コネクタ引留板２は、例えば、光配線盤、光クロージャといった光機器（機器）の構成部材や、建物の構成部材（機器）等の機器に取り付けられる。
このコネクタ引留板２には、前記光コネクタ３の前記ラッチ５２が挿脱される貫通穴である引留用長穴２１が形成されている。
図１（ａ）、図２に示すように、引留用長穴２１は、ラッチ５２が挿脱される長穴２１ａ（以下、主長穴とも言う）と、この主長穴２１ａよりも狭幅に形成され、前記主長穴２１ａの一端部（図１（ａ）、（ｂ）における左側、図２左側）から延出する細長穴２１ｂとで構成されている。
【００１３】
主長穴２１ａには、光コネクタ３のラッチ５２のラッチ本体部５２ｂを通すことができる。但し、主長穴２１ａの幅寸法Ｗ１（図１（ａ）、図２における上下方向の寸法）は、光コネクタ３のハウジング本体部５１の幅寸法Ｗ２（図１（ａ）における上下方向の寸法）よりも小さく、光コネクタ３のハウジング本体部５１は、主長穴２１ａに挿入できない。
ラッチ５２は、幅寸法Ｗ３（図１（ａ）における上下方向の寸法）が、主長穴２１ａの幅寸法Ｗ１よりも僅かに小さく、しかも、前後方向寸法Ｌ２（ラッチ本体部５２ｂの立ち上げ部５２ａからの突出先端（ラッチ５２の前端）から、係合解除用レバー部５２ｃの立ち上げ部５２ａからの突出先端（ラッチ５２の後端）までの寸法）が主長穴２１ａの長さＬ１よりも短い。このため、このラッチ５２は、立ち上げ部５２ａを含めて、全体を主長穴２１ａに挿入できる。
【００１４】
また、ラッチ５２は、ハウジング本体部５１の幅方向（図１（ａ）における上下方向）の中央部に突設されている。ラッチ５２を主長穴２１ａに挿入していくと、ハウジング本体部５１の内、ラッチ５２から該ラッチ５２の幅方向両側に張り出している部分が、コネクタ引留板２に当接される。
なお、図示例の光コネクタ３では、前後方向全体にわたって幅寸法Ｗ３が一定のラッチ５２を具備する構成を例示したが、ラッチ５２は、幅寸法が、主長穴２１ａの幅寸法Ｗ１よりも大きい箇所が存在しなければよく、必ずしも、前後方向全体にわたって幅寸法が一定の形状である必要は無い。
【００１５】
引留用長穴２１の細長穴２１ｂの幅寸法Ｗ４（図１（ａ）、図２における上下方向の寸法）は、ラッチ５２の幅寸法Ｗ３よりも小さい。このため、ラッチ５２は、細長穴２１ｂに挿入することはできない。
また、ハウジング５の振れ止め用突起５３は、コネクタ引留板２の表面２２側（図１（ｂ）下側）から、細長穴２１ｂに挿脱可能に挿入できるサイズの小突起に形成されている。この振れ止め用突起５３の幅寸法Ｗ５は、引留用長穴２１の細長穴２１ｂの幅寸法Ｗ４よりも僅かに小さい程度であり、振れ止め用突起５３は、細長穴２１ｂに挿入すると、コネクタ引留板２に対する光コネクタ３の、引留用長穴２１の長手方向に沿ったスライド移動を案内する案内用突起として機能させることができる。
【００１６】
コネクタ引留板２の片面（ここでは、表面２２）は、該コネクタ引留板２に引き留める光コネクタ３のハウジング本体部５１が当接される当接面になっている。
コネクタ引留板２の前記表面２２とは逆の裏面２３には、ラッチ本体部５２ｂの先端の突爪５２ｄが係脱可能に係合される係止突起２４が突設されている。
この係止突起２４は、本発明に係る係止部として機能するものである。
図１（ｂ）、図２に例示するコネクタ引留板２では、前記係止突起２４は、コネクタ引留板２において、前記主長穴２１ａの一端部側にて、細長穴２１ｂの幅方向両側に設けられている。
また、図１（ｂ）、図２に例示するコネクタ引留板２では、前記係止突起２４は、主長穴２１ａの一端部から僅かに離隔した位置に突設されているが、係止突起２４の突設位置は、例えば、主長穴２１ａと細長穴２１ｂとの境界位置であっても良い。
【００１７】
光コネクタ３をコネクタ引留板２に引き留めるには、コネクタ引留板２の表面２２側から、ラッチ５２を主長穴２１ａに挿入するとともに、振れ止め用突起５３を細長穴２１ｂに挿入し、主長穴２１ａを介してコネクタ引留板２の裏面２３側に差し込まれたラッチ本体部５２ｂの先端の突爪５２ｄを、コネクタ引留板２の裏面２３側に突設されている係止突起２４（係止部）に係合させれば良い。
光コネクタ３は、ラッチ５２の前後方向全長を主長穴２１ａに挿入した後、コネクタ引留板２に対して、引留用長穴２１の長手方向に沿ってスライド移動させる。この光コネクタ３のスライド移動は、ラッチ５２の立ち上げ部５２ａを主長穴２１ａの一端部に接近させる方向の移動である。このスライド移動によって、ラッチ本体部５２ｂの先端側から基端側（立ち上げ部５２ａ側）に行くにしたがってラッチ本体部５２ｂからの突出寸法が増大する形状の突爪５２ｄが、係止突起２４に乗り上げた後、係止突起２４を乗り越える。突爪５２ｄが係止突起２４を乗り越えると、突爪５２ｄが係止突起２４を乗り上げたときに、ハウジング本体部５２ｂから若干離隔する方向に弾性変形されたラッチ本体部５２ｂの弾性によって、突爪５２ｄが、係止突起２４の、主長穴２１ａとは反対の側に入り込んで、係止突起２４に対して係合する。
【００１８】
突爪５２ｄの後端は、ラッチ本体部５２ｂに対して垂直（あるいはほぼ垂直）に切り立った段差になっており、係止突起２４の、主長穴２１ａとは反対の側の側面は、コネクタ引留板２に対して垂直（あるいはほぼ垂直）に切り立った段差になっている。このため、係止突起２４を乗り越えた突爪５２ｄが係止突起２４の、主長穴２１ａとは反対の側に入り込めば、突爪５２ｄと係止突起２４との係合（換言すれば、コネクタ引留板２に対するラッチ２（詳細にはラッチ本体部５２ｂ）の係合）によって、前記ラッチ５２の立ち上げ部５２ａが前記主長穴２１ａの一端部から離隔する方向への光コネクタ３の移動が規制される。この状態では、係止突起２４に対する突爪５２ｄの係合を解除しない限り、コネクタ引留板２から光コネクタ３を離脱できなくなり、コネクタ引留板２に対する光コネクタ３の引き留めが実現される。
【００１９】
なお、コネクタ引留板２に対する光コネクタ３の、ラッチ５２の立ち上げ部５２ａを主長穴２１ａの一端部に接近させる方向のスライド移動は、前記細長穴２１ｂに挿入しておいた振れ止め用突起５３が、細長穴２１ｂの幅方向両側内面に案内されながら該細長穴２１ｂの長手方向に沿って移動されるとともに、ラッチ５２が主長穴２１ａの幅方向両側内面に案内されながら該主長穴２１ａの長手方向に沿って移動されることで、光コネクタ３の前後方向が引留用長穴２１の長手方向に揃った状態が維持され、係止突起２４（係止部）に対するラッチ５２（詳細には、ラッチ本体部５２ｂ）の係合を確実に行える。
また、この光コネクタ３のコネクタ引留板２に対するスライド移動は、振れ止め用突起５３が、細長穴２１ｂの主長穴２１ａとは反対側の端部に到達したところで限界となり、それ以上、ラッチ５２の立ち上げ部５２ａを主長穴２１ａの一端部に接近させる方向に光コネクタ３を移動させることができなくなる。これにより、ラッチ５２の立ち上げ部５２ａを、主長穴２１ａの一端部と細長穴２１ｂとの境界に位置するコネクタ引留板２の段差に押し当てて、損傷させてしまう、といった不都合を回避できる。
【００２０】
係止突起２４（係止部）に対するラッチ５２（詳細には、ラッチ本体部５２ｂ）の係合が完了したら、ラッチ５２（詳細にはラッチ本体部５２ｂ）の弾性によって、ラッチ本体部５２ｂとハウジング本体部５１との間にコネクタ引留板２が挟み込まれるようになるため、係合解除用レバー５２ｃ（後述）の操作等によって、ラッチ本体部５２ｂをコネクタ引留板２から離隔するように強制的に変位させて、係止突起２４に対する突爪５２ｄの係合を解除しない限り、コネクタ引留板２から光コネクタ３を離脱できなくなる。
これにより、光コネクタ３がコネクタ引留板２に対して、不用意に脱落しないようにっ確実に引き留められる。
また、光コネクタ３は、ラッチ５２の主長穴２１ａ内に収納されている部分と、細長穴２１ｂに挿入されている振れ止め用突起５３とによって、コネクタ引留板２に対する取り付け向きが決まる。これにより、振動等の外力によって光コネクタ３が不用意に揺動してしまう、といった不都合が防止されることから、コネクタ引留板２に対する光コネクタ３の取り付け状態が安定に保たれる。光コネクタ３の取り付け状態の安定は、光コネクタ３の光学特性の維持等の点で有利である。
【００２１】
コネクタ引留板２に引き留めた光コネクタ３を、コネクタ引留板２から離脱させるには、まず、係合解除用レバー５２ｃを操作して、コネクタ引留板２の係止部（係止突起２４）に対するラッチ５２（詳細にはラッチ本体部５２ｂ）の係合を解除させる。
係合解除用レバー５２ｃは、ラッチ５２の立ち上げ部５２ａからの延出基端から延出先端（後端）側に行くにしたがって、ハウジング本体部５１から次第に離隔するように、ハウジング本体部５１に対して傾斜して設けられている弾性片である。
この係合解除用レバー５２ｃをハウジング本体部５１に接近させるように操作すると、この係合解除用レバー５２ｃに連続して該係合解除用レバー５２ｃから前側に延出されているラッチ本体部５２ｂが、立ち上げ部５２ａ先端を中心としてハウジング本体部５１から離隔するように回転する。
したがって、コネクタ引留板２に引き留められた光コネクタ３の係合解除用レバー５２ｃをハウジング本体部５１に接近させるように操作すれば、ラッチ本体部５２ｂを、立ち上げ部５２ａ先端を中心とする回転によって、前記コネクタ引留板２から裏面２３側へ離隔させることができ、前記係止部（係止突起２４）に対する前記突爪５２ｄの係合を解除できる。
コネクタ引留板２の係止部（係止突起２４）に対するラッチ５２（詳細にはラッチ本体部５２ｂ）の係合を解除したら、光コネクタ３を、ラッチ５２の立ち上げ部５２ａが主長穴２１ａの一端部から離隔する方向に移動させ、引留用長穴２１から、ラッチ５２及び振れ止め用突起５３を抜き出す。これにより、光コネクタ３をコネクタ引留板２から離脱させることができる。
【００２２】
第１実施形態のコネクタ引留ユニットの別態様を、図３、図４を参照して説明する。
このコネクタ引留ユニット１Ａは、図１、図２に例示したコネクタ引留ユニット１のコネクタ引留板２に代えて、図３、図４に示す符号２Ａのコネクタ引留板を採用したものである。
図３、図４に示すように、前記コネクタ引留板２Ａは、係止突起２４を設けることに代えて、図中符号２５の係合穴を形成した点が、コネクタ引留板２４と異なる。この点以外は、コネクタ引留板２４と同様である。
前記係合穴２５は、主長穴２１ａの長手方向一端部から引留用長穴２１の長手方向一端部側にずれた位置にて、細長穴２１ｂを幅方向両側に拡張（拡幅）した部分である。
この係合穴２５には、光コネクタ３のラッチ本体部５２ｂの先端の突爪５２ｄが挿脱可能に入り込んで、コネクタ引留板２Ａの内、主長穴２１ａの長手方向一端部と係合穴２５との間に位置する部分（係止部２６）に係脱可能に係合するようになっている。
【００２３】
このコネクタ引留ユニット１Ａでも、光コネクタ３をコネクタ引留板２Ａに引き留めるには、まず、コネクタ引留ユニット１と同様に、コネクタ引留板２Ａの表面２２側から、ラッチ５２を主長穴２１ａに挿入するとともに、振れ止め用突起５３を細長穴２１ｂに挿入する。そして、主長穴２１ａを介してコネクタ引留板２Ａの裏面２３側に差し込まれたラッチ本体部５２ｂの先端の突爪５２ｄを、コネクタ引留板２Ａの裏面２３側から係合穴２５に挿入し、ラッチ本体部５２ｂをコネクタ引留板２Ａの係止部２６に係合させることで、光コネクタ３がコネクタ引留板２Ａに引き留められる。
【００２４】
係止部２６に対するラッチ５２（詳細には、ラッチ本体部５２ｂ）の係合が完了したら、ラッチ５２（詳細にはラッチ本体部５２ｂ）の弾性によって、ラッチ本体部５２ｂとハウジング本体部５１との間に係止部２６が挟み込まれるようになる。これにより、係合解除用レバー５２ｃ（後述）の操作等によって、ラッチ本体部５２ｂをコネクタ引留板２Ａから離隔するように強制的に変位させて、係止部２６に対する突爪５２ｄの係合を解除しない限り、コネクタ引留板２Ａから光コネクタ３が離脱できないため、コネクタ引留板２Ａから光コネクタ３が不用意に脱落してしまうといった不都合が防止され、コネクタ引留板２Ａに対する光コネクタ３の引き留め状態が安定に維持される。
また、このコネクタ引留ユニット１Ａでは、ラッチ本体部５２ｂを、引留用長穴２１（詳細には主長穴２１ａ）を介してコネクタ引留板２Ａの表面２２側から裏面２３側に挿入した光コネクタ３を、コネクタ引留板２Ａに沿って引留用長穴２１の長手方向一端部側に向けてスライド移動していくと、ラッチ本体部５２ｂの突爪５２ｄが、係合穴２５に達したところで、ラッチ本体部５２ｂの弾性によって係合穴２５に入り込む。このため、係止部２６に対するラッチ本体部５２ｂの係合作業を簡単かつ円滑に行える。
【００２５】
また、係合解除用レバー５２ｃを操作して、コネクタ引留板２Ａの係止部２６に対するラッチ５２（詳細にはラッチ本体部５２ｂ）の係合を解除させると、コネクタ引留板２Ａに引き留めた光コネクタ３が、コネクタ引留板２Ａから離脱可能となる。
【００２６】
上述のコネクタ引留ユニット１、１Ａによれば、光コネクタ３のラッチ本体部５２ｂを、コネクタ引留板２、２Ａの引留用長穴２１を介してコネクタ引留板２、２Ａの表面２２側から裏面２３側に差し込み、コネクタ引留板２、２Ａの係止部に係合させるだけで、光コネクタ３をコネクタ引留板２、２Ａに簡単に引き留めることができる。
【００２７】
（第２実施形態）
以下、本発明の第２実施形態のコネクタ引留ユニット１１を図５〜図７を参照して説明する。
図５は、コネクタ引留ユニット１１の光コネクタ１３を示す斜視図である。
図６（ａ）、（ｂ）は、コネクタ引留ユニット１１のコネクタ引留板１２を示す図であって、（ａ）は裏面側（後述する本体プレート部１２Ａの裏面１２ｂの側）から見た斜視図、（ｂ）は表面側（後述する本体プレート部１２Ａの表面（コネクタ取付面１２ａ）の側）から見た斜視図である。
図７は、光コネクタ１３をコネクタ引留板１２に引き留めた状態を示す部分破断正面図である。
前記コネクタ引留ユニット１１は、コネクタ引留板１２と、このコネクタ引留板１２に着脱される光コネクタ１３とで構成されている。
【００２８】
図５において、光コネクタ１３は、フェルール１４と、このフェルール１４を収納するハウジング１５とを具備して構成されている。
なお、光コネクタ１３については、フェルール１４の接合端面１４ａ側、すなわち、図７において左側を「前」、反対側、すなわち図７において右側を「後」として説明する。
ハウジング１５の後端部には、ストップリング１６が組み付けられている。
このストップリング１６は、スリーブ状であり、内側に、光ファイバ７が通されている。
フェルール１４は、光ファイバ７の先端に取り付けられている。
光ファイバ７は、ストップリング１６の後端から延出されている。
【００２９】
ハウジング１５は、フェルール４を収納するスリーブ状のハウジング本体部１５１と、このハウジング本体部１５１から後側に延出する板状の差し込み片１５２とを具備した構成になっている。
図５に示すように、ハウジング本体部１５１は、断面矩形状のスリーブ状に形成されている。前記差し込み片１５２は、ハウジング本体部１５１の４つの側壁部の内の１つ（当接壁１５１ａ）を、ハウジング本体部１５１の後側に延長した形状になっている。
ハウジング本体部１５１の当接壁１５１ａには、コネクタ引留板１２に突設されている弾性爪であラッチ１２２（後述）の先端に突設された突爪１２３が挿脱可能に入り込んで、係脱可能に可能に係合するための係合用凹所１５１ｂが、該当接壁１５１ａの外面から窪んだ形状に形成されている。
ハウジング１５の内、係合用凹所１５１ｂの後側に位置する部分が、ラッチ１２２（詳細には突爪１２３）が係脱可能に係合する係合部として機能する。
【００３０】
光コネクタ１３は、コネクタ引留板１２の本体プレート部１２Ａのコネクタ取付面１２ａ（以下、表面１２ａとも言う）に突設されている差し込み片支持部１２１に前記差し込み片１５２を差し込み、ハウジング本体部１５１の係合用凹所１５１に、コネクタ引留板１２に突設されているラッチ１２２先端の突爪１２３を入り込ませて、ハウジング１５にラッチ１２２を係合させることで、コネクタ引留板１２の表面側に取り付けられる。
【００３１】
前記コネクタ引留板１２は、金属製あるいは樹脂製のパネルである。
なお、コネクタ引留板１２は、例えば、光配線盤、光クロージャといった光機器（機器）の構成部材や、建物の構成部材（機器）等の機器に取り付けられる。
このコネクタ引留板１２は、本体プレート部１２Ａと、この本体プレート部１２Ａの表面１２ａ側に突設された突起（図６（ａ）、（ｂ）においては、一対のＬ字形突起１２１ａ）によって構成された差し込み片支持部１２１と、本体プレート部１２Ａから該本体プレート部１２Ａを延長するように延出された舌片状の突片であるラッチ１２２とを具備して構成されている。
【００３２】
図６（ａ）、（ｂ）において、前記差し込み片支持部１２１は、本体プレート部１２Ａの表面１２ａ側に突設された、一対のＬ字形突起１２１ａによって、概略門形に構成されている。この差し込み片支持部１２１は、一対のＬ字形突起１２１ａによって、光コネクタ１３のハウジング１５の差し込み片１５２を両側から抱え込むようにして支持するようになっている。
各Ｌ字形突起１２１ａは、コネクタ引留板１２の本体プレート部１２Ａから表面１２ａ側に立ち上げられた立ち上げ部１２１ｂと、この立ち上げ部１２１ｂの本体プレート部１２Ａからの突出先端から本体プレート部１２Ａに沿うように、横向きに突出する押さえ片部１２１ｃとを具備して構成されている。
光コネクタ１３の差し込み片１５２は、該光コネクタ１３の本体プレート部１２Ａの表面１２ａに沿ったスライド移動によって、一対のＬ字形突起１２１ａで囲まれる内側空間１２１ｄに差し込まれる。一対のＬ字形突起１２１ａは、内側空間１２１ｄに差し込まれた差し込み片１５２を、押さえ片部１２１ｃによって、コネクタ引留板１２の本体プレート部１２Ａとの間に挟み込むようにして支持する。
これにより、差し込み片支持部１２１によって、前記光コネクタ１３が、前記ハウジング１５の当接壁１５１ａ及び差し込み片１５２が前記コネクタ取付面１２ａに当接された状態に支持される。
【００３３】
図６（ａ）、（ｂ）、図７に例示した、ラッチ１２２は、コネクタ引留板１２を構成する板材の一部を舌片状に形成したものであり、コネクタ引留板１２の本体プレート部１２Ａから延出する板状片部１２４と、この板状片部１２４の本体プレート部１２Ａからの突出先端からコネクタ引留板１２の表面側に突設された突爪１２３とを具備して構成されている。
このラッチ１２２は、光コネクタ１３の差し込み片１５２を差し込む差し込み片支持部１２１の内側空間１２１ｄの中心軸線１２１ｅに沿って延在しており、ラッチ１２２の先端の突爪１２３は、ラッチ１２２の本体プレート部１２Ａからの突出基端部を介して、前記差し込み片支持部１２１と反対の側に位置する。
【００３４】
コネクタ引留板１２の本体プレート部１２Ａの表面１２ａに沿った光コネクタ１３のスライド移動によって、光コネクタ１３の差し込み片１５２を差し込み片支持部１２１の内側空間１２１ｄに差し込んでいくと、光コネクタ１３の側部の係合用凹所１５１ｂが、ラッチ１２２先端に達したところで、ラッチ１２２先端の突爪１２３が係合用凹所１５１ｂに入り込んで、光コネクタ１３のハウジング１５にラッチ１２２が係合する。
【００３５】
突爪１２３は、全体（あるいは大部分）が、ラッチ１２２から、コネクタ引留板１２の光コネクタ１３が摺動しながらスライド移動される表面側に突出されている。図示例では、ラッチ１２２の板状片部１２４は、本体プレート部１２Ａの表面１２ａから連続する平面を形成している。但し、ラッチ１２２は、光コネクタ１３の側部の係合用凹所１５１ｂに入り込んで光コネクタ１３に係合できるように、突爪１２３が本体プレート部１２Ａの表面１２ａの延長（仮想延長）上からコネクタ引留板１２の表面側に突出されていれば良く、この点、ラッチ１２２は、板状片部１２４が、本体プレート部１２Ａの表面１２ａから連続する平面を形成する位置からずれていたり、本体プレート部１２Ａに対して傾斜していても良い。
【００３６】
また、突爪１２３は、ラッチ１２２の本体プレート部１２Ａからの突出先端側（図７左側）から基端側（図７右側）に行くしたがって、ラッチ１２２からコネクタ引留板１２の表面側への突出寸法が次第に大きくなるテーパ形状に形成されており、このテーパ形状によって、コネクタ引留板１２の表面側に傾斜面１２５が形成されている。
突爪１２３の後端、すなわち、ラッチ１２２の本体プレート部１２Ａからの突出基端部に近い側の端部には、板状片部１２４から垂直に立ち上がる垂直面１２６が形成されている。
光コネクタ１３の差し込み片１５２を差し込み片支持部１２１に差し込む作業の際には、コネクタ引留板１２の本体プレート部１２Ａに沿ってスライド移動する光コネクタ１３に、ラッチ１２２の先端の突爪１２３が接触するが、このとき、突爪１２３の前記傾斜面１２４によって光コネクタ１３のラッチ１２２に対する摺動が円滑であり、光コネクタ１３にラッチ１２２が引っ掛からず、光コネクタ１３のスライド移動の障害にならない。
突爪１２３が、光コネクタ１３の側部の係合用凹所１５１ｂに入り込むと、突爪１２３の垂直面１２６と光コネクタ１３の係合用凹所１５１ｂ内面との係合によって、差し込み片支持部１２１から差し込み片１５２を引き抜く方向への光コネクタ１３の移動が規制される。
【００３７】
上述のように、光コネクタ１３のハウジング１５にラッチ１２２が係合すると、差し込み片１５２が差し込み片支持部１２１から抜け出す方向への光コネクタ１３の移動が規制される。光コネクタ１３のハウジング１５にラッチ１２２が係合したときには、差し込み片支持部１２１に対する差し込み片１５２の挿入も完了し、差し込み片支持部１２１による光コネクタ１３の支持も実現される。これによって、光コネクタ１３が、コネクタ引留板１２に対して引き留められる。
つまり、このコネクタ引留ユニット１１では、光コネクタ１３の本体プレート部１２Ａの表面１２ａに沿ったスライド移動によって、光コネクタ１３の差し込み片１５２を差し込み片支持部１２１の内側空間１２１ｄに差し込んでいくだけで、光コネクタ１３に対するラッチ１２２の係合も自動的に達成されて、光コネクタ１３をコネクタ引留板１２に引き留めることができる。
【００３８】
図７中、矢印Ｂに示すように、光コネクタ１３（詳細にはハウジング１５）に係合しているラッチ１２２は、コネクタ引留板１２の表面とは反対の裏面側に弾性変形させて、該ラッチ１２２先端の突爪１２３を光コネクタ１３の側部の係合用凹所１５１ｂから抜き出すことで、光コネクタ１３に対する係合を解除できる。
これにより、光コネクタ１３のコネクタ引留板１２に沿ったスライド移動によって差し込み片支持部１２１から差し込み片１５２を抜き出すことが可能になるため、コネクタ引留板１２から光コネクタ１３を離脱できるようになる。
ラッチ１２２には、係合解除操作を容易にするための取っ手を突設しても良い。
【００３９】
なお、図６（ａ）、（ｂ）、図７では、本体プレート部１２Ａと差し込み片支持部１２１を構成する突起（Ｌ字形突起１２１ａ）とラッチ１２２とが一体成形された一部品になっているコネクタ引留板１２を例示したが、本発明はこれに限定されず、差し込み片支持部１２１を構成する突起及びラッチ１２２の一方又は両方が、本体プレート部１２Ａに固定された別部品で構成されているものも採用可能である。
【００４０】
このコネクタ引留ユニット１１によれば、光コネクタ１３を、本体プレート部１２Ａに沿ってスライド移動させ、光コネクタ１３の差し込み片１５２をコネクタ引留板１２の差し込み片支持部１２１に差し込んでいくだけで、ラッチ１２２が光コネクタ１３のハウジング１５の側部の係合用凹所１５１ｂに自動的に係合して、光コネクタ１３をコネクタ引留板１２に簡単に引き留めることができる。
また、ラッチ１２２を操作して、光コネクタ１３との係合を解除するだけで、コネクタ引留板１２から光コネクタ１３を簡単に離脱させることができる。
また、このコネクタ引留ユニット１１では、光コネクタ１３を、差し込み片支持部１２１とラッチ１２２とによって、コネクタ引留板１２に対して、所定の向きで、ガタ付かないように、しっかりと引き留めることができる。このため、ガタ付きによる特性劣化等の心配が無く、光学特性を安定に維持できる、といった利点もある。
【００４１】
ところで、上述したコネクタ引留ユニット１、１１によれば、光コネクタ３、１３は、コネクタ引留板２、２Ａ、１２に沿った向きで、コネクタ引留板２、２Ａ、１２に引き留められる。つまり、光コネクタ３、１３は、該光コネクタ３、１３の中心軸線Ｃ３、Ｃ１３（換言すれば、スリーブ状のハウジング５、１５の中心軸線）が、コネクタ引留板に沿った向きとなるようにして、コネクタ引留板に取り付けられる。
このため、複数の光コネクタをコネクタ引留板に引き留める場合の対比では、光コネクタをコネクタ引留板に垂直に取り付ける場合（例えば、光コネクタを、パネルに取り付けた、光コネクタアダプタ形あるいは光コネクタレセプタクル形のハウジングに挿入、接続して、パネルに垂直の向きで保持する場合）に比べて、光コネクタのコネクタ引留板からの突出寸法が小さくて済み、光コネクタの引き留めを省スペースで実現できる、といった利点がある。
【００４２】
本発明に係るコネクタ引留ユニットでは、例えば、複数の光コネクタをコネクタ引留板に横並びに配列させて引き留めることで（例えば、図８参照）、コネクタ引留板に対する光コネクタの高密度実装を容易に実現できる。しかも、光コネクタ側あるいはコネクタ引留板側のラッチの操作によって、コネクタ引留板に引き留めた光コネクタをコネクタ引留板から離脱する際の作業性も、良好に確保できる。
【００４３】
第１実施形態のコネクタ引留ユニット１、１Ａのコネクタ引留板２においては、コネクタ引留板２の内の引留用長穴２１が形成されている部分、すなわち、長穴２１及び係止部２４、２６が形成されている部分が、光コネクタを着脱可能に保持するための、コネクタ保持部１Ｂとして機能する。
また、第２実施形態のコネクタ引留ユニット１１では、コネクタ引留板１２において、差し込み片支持部１２１とラッチ１２２の対が、光コネクタを着脱可能に保持するための、コネクタ保持部１１Ａとして機能する。
複数の光コネクタをコネクタ引留板に横並びに配列させて引き留める場合は、例えば、図８に示すように、コネクタ保持部が、横並びに複数設けられたコネクタ引留板を採用する。
なお、図８に示すコネクタ引留板１０６のコネクタ保持部１０２Ａとしては、例えば、第１実施形態のコネクタ引留ユニット１、１Ａのコネクタ保持部１Ｂ、第２実施形態のコネクタ引留ユニット１１のコネクタ保持部１１Ａ等を採用できる。
【００４４】
また、光コネクタを、コネクタ引留板に沿った向きで、コネクタ引留板に引き留める構造であれば、光ファイバ７の、光コネクタの後端（第１、第２実施形態の光コネクタ３、１３においては、ストップリング６、１６の後端）から延びる部分である、光ファイバピグテイル７１も、コネクタ引留板に沿った向きで配線することが可能である。このため、光コネクタをコネクタ引留板に垂直に取り付けた場合に比べて、光ファイバピグテイル７１の配線スペース（収納スペース）の確保、省スペース化を容易に実現できる。
【００４５】
（光クロージャ）
次に、本発明に係る光クロージャ１００を説明する。
なお、光クロージャ１００は、本発明に係る光機器としても機能する。
【００４６】
図８に示すように、光クロージャ１００は、クロージャスリーブ１０１内に、本発明に係るコネクタ引留ユニット１０２と、光コネクタアダプタ１０３と、連結ユニット１０４とを収納した構造になっている。
コネクタ引留ユニット１０２は、ここでは、既述の第１実施形態のコネクタ引留ユニット１、あるいは、第２実施形態のコネクタ引留ユニット１１である。
【００４７】
前記連結ユニット１０４は、細長の連結棒１０４ａの両端に、クロージャスリーブ１０１内に引き込まれる光ファイバケーブル１０５を把持固定する把持部品１０４ｂが取り付けられているものである。
コネクタ引留ユニット１０２のコネクタ引留板１０６は、連結ユニット１０４（具体的には、ここでは連結棒１０４ａ）に固定されている。
また、光コネクタアダプタ１０３（受け側光コネクタ）も、連結ユニット１０４（具体的には、ここでは連結棒１０４ａ）に固定されている。
クロージャスリーブ１０１を解体して撤去すると、連結ユニット１０４とともに、連結ユニット１０４に取り付けられているコネクタ引留板１０６及び光コネクタアダプタ１０３をも露出させることができる。
【００４８】
コネクタ引留ユニット１０２は、前記コネクタ引留板１０６と、このコネクタ引留板１０６に対して着脱可能の光コネクタ１０７とを具備して構成されている。
前記光コネクタ１０７は、光ファイバケーブル１０５から引き出された光ファイバ１０５ａ（例えば光ファイバ心線）の先端に取り付けられており、前記光ファイバ１０５ａをコネクタ接続可能に成端している。
前記光コネクタ１０７は、コネクタ引留板１０６から取り外して、光コネクタアダプタ１０３に接続することができる。光コネクタ１０７は、光コネクタアダプタ１０３に対して挿脱可能であり、光コネクタアダプタ１０３とコネクタ引留板１０６とに対して、選択的に取り付けることができる。
【００４９】
光コネクタアダプタ１０３は、クロージャスリーブ１０１内に引き込まれた光ドロップケーブル１０８（引き落とし線）の先端に取り付けられた光コネクタ１０９（光コネクタプラグ）と、前記光ファイバケーブル１０５側の光ファイバ１０５ａの先端に取り付けられた光コネクタ１０７とを接続するための接続用ハウジング（受け側光コネクタ）としての機能を果たす。
光コネクタアダプタ１０３にて、光ファイバケーブル１０５側の光コネクタ１０７と、光ドロップケーブル１０８側の光コネクタ１０９とを接続することで、光ファイバケーブル１０５側の光ファイバ１０５ａと光ドロップケーブル１０８内の光ファイバ１０８ａ（例えば光ファイバ素線）とが光接続される。
光ドロップケーブル１０８は、光ファイバケーブル１０５から加入者宅への引き落とし用光ファイバケーブルであり、光ファイバケーブル１０５よりも心数が小心（例えば単心）の細い光ファイバケーブルである。光クロージャ１００は、光ファイバケーブル１０５と光ドロップケーブル１０８との接続部（ここでは、光コネクタアダプタ１０３、及び、光コネクタ１０７、１０９）を収納する機能を果たす。
【００５０】
既述のように、本発明に係るコネクタ引留ユニットは、複数の光コネクタの引き留めを省スペースで実現できるため、光クロージャ１００のクロージャスリーブ１０１内への収納に適している。
また、図８に例示したように、コネクタ引留ユニット１０２は、光コネクタ１０７が、該光コネクタ１０７の中心軸線Ｃ１０７が連結ユニット１０４の連結棒１０４ａと並行する向きでコネクタ引留板１０６に引き留められるようにすることが好ましい。
これにより、コネクタ引留板１０６付近では、光コネクタ１０７の後端から延びる光ファイバピグテイル７１が、連結ユニット１０４の連結棒１０４ａに沿うように配線されるため、クロージャスリーブ１０１の内部の光ファイバケーブル１０５等、連結ユニット１４の連結棒１０４ａに沿った方向に延在する収納物との干渉回避の点で有利である。また、連結ユニット１０４の連結棒１０４ａに沿った細長形状のクロージャスリーブ１０１を採用した場合の、クロージャスリーブ１０１の内側空間の有効活用の点でも有利である。
【００５１】
（光クロージャ用のコネクタ引留ユニットの別態様）
次に、光クロージャ１００用のコネクタ引留ユニットの別態様を、図９（ａ）、（ｂ）、図１０、図１１を参照して説明する。
図９（ａ）、（ｂ）、図１０に示すコネクタ引留ユニット２０１は、機器に取り付けられるコネクタ引留板２０２と、該コネクタ引留板２０２に着脱される光コネクタ２０３とを具備した構成である。
【００５２】
コネクタ引留板２０２の片面（コネクタ取付面２０２ａ）には、光コネクタ２０３を保持するためのピン２０４が複数本突設されている。
図９（ａ）、（ｂ）、図１０では、２本のピン２０４の間に、光コネクタ２０３のハウジング２０３ａが着脱可能に嵌め込まれて保持されることで、光コネクタ２０３がコネクタ引留板２０２に引き留められる構成を例示している。但し、１つの光コネクタ２０３を保持するピン２０４の組（コネクタ保持部２０４Ａ）は、２本に限定されず、３本以上であっても良い。
【００５３】
このコネクタ引留ユニット２０１において、１つの光コネクタ２０３を保持するコネクタ保持部は、複数本のピン２０４によって、光コネクタ２０３のハウジング２０３ａを両側から挟み込んで着脱可能に保持する構造である。
コネクタ保持部２０４Ａを構成する複数本のピン２０４は、該コネクタ保持部２０４Ａによって保持する光コネクタ２０３が設けられるコネクタ設置空間２０４Ｓの両側に配置される。
コネクタ設置空間２０４Ｓの両側のピン２０４間の距離で決まるコネクタ設置空間２０４Ｓの幅寸法Ｗ６は、保持対象の光コネクタ２０３の幅寸法よりも僅かに狭い。
各ピン２０４は弾性変形可能であり、コネクタ設置空間２０４Ｓの幅寸法Ｗ６よりも僅かにサイズ（幅寸法）の大きい光コネクタ２０３がコネクタ設置空間２０４Ｓに押し込まれたときに、若干、弾性変形することで、コネクタ設置空間２０４Ｓへの光コネクタ２０３の押し込みを許容し、コネクタ設置空間２０４Ｓに押し込まれた光コネクタ２０３を、弾性によって、両側から挟み込むようにして保持する。
【００５４】
コネクタ保持部２０４Ａに保持した光コネクタ２０３は、コネクタ引留板２０２のコネクタ取付面２０２ａに当接させることができ、これにより、コネクタ引留板２０２からの光コネクタ２０３の突出を抑えることができ、省スペース化を図れる。
【００５５】
図１１に示すように、ピン２０４は、具体的には、２つ割り構造になっている。
１つの光コネクタ２０３を保持するコネクタ保持部を構成する複数本（図示例では２本）のピン２０４は、二つ割りの一対のピン半体２０４ａ、２０４ｂの内の一方（ここでは、符号２０４ａのピン半体）がコネクタ設置空間２０４Ｓ側、他方のピン半体２０４ｂが、一方のピン半体２０４ａを介してコネクタ設置空間２０４Ｓとは反対の側に設けられている。
また、一対のピン半体２０４ａ、２０４ｂの間には、スリット２０４ｃが存在する。
このピン２０４の各ピン半体２０４ａ、２０４ｂは、金属製又は樹脂製であり、弾性変形可能である。
図９（ａ）、（ｂ）に示すように、コネクタ設置空間２０４Ｓに光コネクタ３が押し込まれると、コネクタ設置空間２０４Ｓに近い側のピン半体２０４ａがコネクタ設置空間２０４Ｓの外側に向かって弾性変形され、コネクタ設置空間２０４Ｓの両側の各ピン２０４のピン半体２０４ａの間に、光コネクタ２０３が保持される。
弾性変形したピン半体２０４ａがピン半体２０４ｂに当接すると、光コネクタ２０３からの押圧力を、一対のピン半体２０４ａ、２０４ｂによって負担するようになる。これにより、コネクタ設置空間２０４Ｓに近い側のピン半体２０４ａの、それ以上の変形が抑えられ、ピン半体２０４ａを無理な曲げによって傷める、といった不都合を防止でき、ピン２０４の長寿命化を図ることができる。
【００５６】
このコネクタ引留ユニット２０１でも、光コネクタ２０３がコネクタ引留板２０２に沿った向き、すなわち、光コネクタ２０３の中心軸線Ｃ２０３（詳しくは、スリーブ状のハウジング２０３ａの中心軸線）がコネクタ引留板２０２に沿う向きで、コネクタ引留板２０２に取り付けられて引き留められる。
１つのコネクタ引留板２０２に、複数の光コネクタ２０３を、横並びに配列状態で引き留めて、高密度実装を実現できることも、他の実施形態に例示したコネクタ引留ユニットと同様である。
【００５７】
上述のコネクタ引留ユニット２０１では、コネクタ引留板２０２の片面のみに、コネクタ保持部２０４Ａを設置した構成を例示したが、これに限定されず、コネクタ引留板２０２の両面に、コネクタ保持部２０４Ａを設置した構成も採用可能である。
【００５８】
ここで例示したコネクタ引留ユニット２０１は、図８に例示した光クロージャ１００用のコネクタ引留ユニット１０２として適用可能であるが、例えば、光配線盤、光成端箱等の、各種光機器にも適用可能であることは言うまでも無い。
但し、ここで適用可能な光機器としては、コネクタ引留板から離脱させた光コネクタを接続できる、光コネクタアダプタ、光コネクタレセプタクル等の受け側光コネクタを具備するものである。
【００５９】
なお、上述の実施形態では、本発明に係るコネクタ引留ユニットを設ける光機器として、光クロージャを例示したが、本発明に係る光機器としてはこれに限定されず、例えば、光配線盤、光成端箱等、様々な光機器を設置対象として採用できる。
また、設置対象の光機器としては、コネクタ引留板から離脱させた光コネクタを接続できる、光コネクタアダプタ、光コネクタレセプタクル等の受け側光コネクタを具備するものである。
但し、本発明は、コネクタ引留板における光コネクタの実装密度、着脱作業性の点で優れるものであり、コネクタ引留板に取り付けて引き留める光コネクタの「数」を追及するものでは無い。例えば、数個〜５０個程度の光コネクタの引き留めに特に有効である。このため、例えば、光クロージャ等の光機器に適用して好適なものである。
【図面の簡単な説明】
【００６０】
【図１】本発明の第１実施形態のコネクタ引留ユニットにおいて、光コネクタをコネクタ引留板に引き留めた状態を示す図であって、（ａ）は平面図、（ｂ）は正断面図である。
【図２】図１のコネクタ引留ユニットのコネクタ引留板を示す平面図である。
【図３】本発明の第１実施形態のコネクタ引留ユニットの別態様を示す図であって、（ａ）は光コネクタをコネクタ引留板に引き留めた状態を示す平面図、（ｂ）は同正断面図である。
【図４】図３のコネクタ引留ユニットのコネクタ引留板を示す平面図である。
【図５】本発明の第２実施形態のコネクタ引留ユニットの光コネクタを示す斜視図である。
【図６】図５のコネクタ引留ユニットのコネクタ引留板を示す図であって、（ａ）は裏面側から見た斜視図、（ｂ）は表面側から見た斜視図である。
【図７】図５のコネクタ引留ユニットのコネクタ引留板を示す図であって、光コネクタをコネクタ引留板に引き留めた状態を示す部分破断正面図である。
【図８】本発明に係る光クロージャの内部構造を示す図である。
【図９】本発明に係る光クロージャ用のコネクタ引留ユニットの別態様を示す図であって、（ａ）はコネクタ引留板から光コネクタが離脱された状態を示す側面図、（ｂ）は光コネクタの先端側から見た図である。
【図１０】図９のコネクタ引留ユニットを示す図であって、コネクタ引留板に光コネクタを引き留めた状態を示す正面図である。
【図１１】図９のコネクタ引留ユニットにおけるコネクタ保持部を構成するピンを示す拡大図である。
【符号の説明】
【００６１】
１，１Ａ…コネクタ引留ユニット、１Ｂ…コネクタ保持部、２、２Ａ…コネクタ引留板、２１…引留用長穴、２１ａ…長穴（主長穴）、２１ｂ…細長穴、２２…表面（コネクタ取付面）、２３…裏面、２４…係止部（係止突起）、２６…係止部、３…光コネクタ、５…ハウジング、５２…ラッチ、５２ａ…立ち上げ部、５２ｂ…ラッチ本体部、５２ｃ…係合解除用レバー、５２ｄ…突爪、５３…振れ止め用突起、
１１…コネクタ引留ユニット、１１Ａ…コネクタ保持部、１２…コネクタ引留板、１２Ａ…本体プレート部、１２ａ…コネクタ取付面（表面）、１２ｂ…裏面、１２１…差し込み片支持部、１２２…ラッチ、１３…光コネクタ、１４…フェルール、１５…ハウジング、１５１ｂ…係合部（係合用凹所）、１５２…差し込み片、
１００…光クロージャ、１０１…クロージャスリーブ、１０２…コネクタ引留ユニット、１０２Ａ…コネクタ保持部、１０３…光コネクタアダプタ、１０４…連結ユニット、１０５…光ファイバケーブル、１０５ａ…光ファイバ、１０６…コネクタ引留板、１０７…光コネクタ、１０８…別の光ファイバ（光ドロップケーブル）、１０９…光コネクタ、
２０１…コネクタ引留ユニット、２０２…コネクタ引留板、２０３…光コネクタ、２０４Ａ…コネクタ保持部。
【図１】
2007233291.tif 000003
【図２】
2007233291.tif 000004
【図３】
2007233291.tif 000005
【図４】
2007233291.tif 000006
【図５】
2007233291.tif 000007
【図６】
2007233291.tif 000008
【図７】
2007233291.tif 000009
【図８】
2007233291.tif 000010
【図９】
2007233291.tif 000011
【図１０】
2007233291.tif 000012
【図１１】
2007233291.tif 000013